(57)【要約】【課題】撮像装置の全体の耐環境性能をユーザに認知させ、撮像装置の故障の危険性を低減する。【解決手段】カメラボディ１は、交換レンズ２やアクセサリが着脱可能に装着されて、電気的に接続される。また、カメラボディ１の電気接点を保護しカメラボディ１の表面に設けられるコネクタカバー６と電池蓋７がそれぞれロック機構６ａおよびロック機構７ａを用いてロックされる。ボディ側マイコンを備え、ボディ側マイコンは、交換レンズ２やアクセサリの耐環境性能を判断し、電気接点６ｂおよび電気接点７ｂを用いてコネクタカバー６と電池蓋７のロック状態を判断して、撮像装置の全体の耐環境性能を判断する。その撮像装置の全体の耐環境性能の判断結果に基づいた情報が表示モニタおよび耐環境性能表示部に報知される。【選択図】図１
2014048444.tif 000002
【特許請求の範囲】
【請求項１】
防水性と耐衝撃性を少なくとも含む耐環境性能を備え、交換レンズを少なくとも含むアクセサリが着脱可能に装着されて、前記交換レンズと共に撮像装置を構成するカメラボディであって、
前記アクセサリが着脱可能に装着されて、装着された前記アクセサリと電気的に接続されるアクセサリ接続手段と、
前記アクセサリ接続手段に装着された前記アクセサリの前記耐環境性能を判断するアクセサリ性能判断手段と、
前記カメラボディの前記耐環境性能の損失を検出する損失検出手段と、
前記アクセサリ性能判断手段による判断結果と、前記損失検出手段による検出結果とに基づいて、前記撮像装置の全体の前記耐環境性能を判断する耐環境性能判断手段と、
前記耐環境性能判断手段の判断結果に基づいて、前記撮像装置の全体の前記耐環境性能に関する情報を報知する性能報知手段と、を備えることを特徴とするカメラボディ。
【請求項２】
請求項１に記載のカメラボディにおいて、
前記性能報知手段は、レリーズスイッチを操作する際に視認可能な位置に配置される表示部材を少なくとも含むことを特徴とするカメラボディ。
【請求項３】
請求項１または２に記載のカメラボディにおいて、
前記性能報知手段は、ライブビューを表示可能な表示部材であって、
前記ライブビューを表示しているときは前記表示部材の表示画面の周縁部に前記撮像装置の全体の前記耐環境性能に関する情報を表示して、
前記ライブビューを表示していないときは前記撮像装置の全体の前記耐環境性能に関する情報と共に、前記撮像装置の全体の前記耐環境性能が改善するような前記蓋部のロック状態または前記アクセサリの情報を表示することを特徴とするカメラボディ。
【請求項４】
請求項１から３のいずれか一項に記載のカメラボディにおいて、
少なくとも前記交換レンズ以外の前記アクセサリが接続される前記アクセサリ接続手段には、防水性および耐衝撃性を少なくとも備えるアクセサリ用カバーが前記アクセサリとして接続可能であり、
前記アクセサリ性能判断手段は、前記アクセサリ接続手段に前記アクセサリ用カバーが接続されたとき、前記アクセサリ用カバーの前記耐環境性能を判断することを特徴とするカメラボディ。
【請求項５】
請求項１から４のいずれか一項に記載のカメラボディにおいて、
前記アクセサリ接続手段に接続された前記交換レンズを保護する保護部材が前記カメラボディに装着されたことを検出する保護部材検出手段をさらに備え、
前記耐環境性能判断手段は、前記保護部材検出手段により前記保護部材の装着が検出されたときは、前記保護部材の耐環境性能と、前記アクセサリ性能判断手段による判断結果と、前記損失検出手段による検出結果とに基づいて、前記撮像装置の全体の前記耐環境性能を判断することを特徴とするカメラボディ。
【請求項６】
請求項１から５のいずれか一項に記載のカメラボディにおいて、
前記カメラボディの電気接点を保護し前記カメラボディの表面に設けられる蓋部をロックするロック手段をさらに備え、
前記損失検出手段は、前記ロック手段により前記蓋部がロックされていないとき、前記蓋部による保護の損失を、前記カメラボディの耐環境性能の損失として検出することを特徴とするカメラボディ。
【発明の詳細な説明】
【技術分野】
【０００１】
本発明はカメラボディに関する。
【背景技術】
【０００２】
防水性を備えたカメラボディに防水性を備えた交換レンズが着脱可能に装着されるレンズ交換式の撮像装置が知られている。
【先行技術文献】
【特許文献】
【０００３】
【特許文献１】特許第３２３７３５６号
【発明の概要】
【発明が解決しようとする課題】
【０００４】
防水性などの耐環境性能を備えるカメラボディに耐環境性能を備える交換レンズが装着された場合であっても、電池蓋が開いていたり、耐環境性能を備えないアクセサリがさらに装着されていたりすることにより撮像装置の全体の耐環境性能が損なわれることがある。ユーザが撮像装置の全体の耐環境性能を常に認識していることは困難であり、防水性を備えていない状態での水没や、耐衝撃性が確保できていない状態での乱暴な取扱いにより、撮像装置の故障を招く危険性がある。
【課題を解決するための手段】
【０００５】
本発明によるカメラボディは、防水性と耐衝撃性を少なくとも含む耐環境性能を備え、交換レンズを少なくとも含むアクセサリが着脱可能に装着されて、交換レンズと共に撮像装置を構成するカメラボディであって、アクセサリが着脱可能に装着されて、装着されたアクセサリと電気的に接続されるアクセサリ接続手段と、アクセサリ接続手段に装着されたアクセサリの耐環境性能を判断するアクセサリ性能判断手段と、カメラボディの耐環境性能の損失を検出する損失検出手段と、アクセサリ性能判断手段による判断結果と、損失検出手段による検出結果と、に基づいて、撮像装置の全体の耐環境性能を判断する耐環境性能判断手段と、耐環境性能判断手段の判断結果に基づいて、撮像装置の全体の耐環境性能に関する情報を報知する性能報知手段と、を備えることを特徴とする。
【発明の効果】
【０００６】
本発明によれば、撮像装置の全体の耐環境性能をユーザに認知させ、撮像装置の故障の危険性を低減することができる。
【図面の簡単な説明】
【０００７】
【図１】本発明の一実施の形態によるカメラボディを備える撮像装置の概略外形図である。
【図２】本発明の一実施の形態によるカメラボディの概略上面図であって、交換レンズが装着されていない状態を示す図である。
【図３】本発明の一実施の形態によるカメラボディに着脱可能に装着されるアクセサリ（交換レンズを除く）のブロック図である。
【図４】本発明の一実施の形態によるカメラボディに装着される交換レンズ用のシールドケースの概念図である。
【図５】（ａ）本発明の一実施の形態によるカメラボディを備える撮像装置の概略背面図と（ｂ）耐環境性能表示部の拡大図である。
【図６】耐環境性能の表示例を示す図である。
【図７】本発明の一実施の形態によるカメラボディを備える撮像装置の耐環境性能を表示するための内部システムの機能構成図である。
【図８】撮像装置の耐環境性能の判断結果を例示する図である。
【図９】本発明の一実施の形態によるカメラボディの電源がオンされたときに実行を開始する起動処理に関するフローチャートである。
【図１０】本発明の一実施の形態によるカメラボディを備える撮像装置の耐環境性能を判断する性能判断処理に関するフローチャートである。
【図１１】本発明の一実施の形態によるカメラボディに装着されている交換レンズが交換されたときに実行される処理に関するフローチャートである。
【図１２】本発明の一実施の形態によるカメラボディに装着されているアクセサリが交換されたときに実行される処理に関するフローチャートである。
【発明を実施するための形態】
【０００８】
図１（ａ）〜（ｄ）は、本発明の一実施の形態によるカメラボディを備える撮像装置の概略外形図である。図１（ａ）〜（ｄ）は、それぞれ撮像装置の上面図、左側面図、正面図、底面図である。図１（ａ）〜（ｄ）に図示された撮像装置は、カメラボディ１に交換レンズ２が着脱可能に装着されるレンズ交換式のデジタルカメラである。カメラボディ１は、被写体側にレンズ接続部３が設けられている。交換レンズ２は不図示の接続部を備え、その接続部がレンズ接続部３に着脱可能に装着される。図１（ａ）〜（ｄ）では、カメラボディ１に交換レンズ２が接続されている。なお、カメラボディ１に交換レンズ２が装着されていないときは、図２に示すようにレンズキャップ８がレンズ接続部３に装着される。
【０００９】
カメラボディ１は、衝撃に強い材質と構造を用いて設計されており、水分の侵入する経路にはＯリング等のシーリングが施されている。したがって、カメラボディ１は、すべてのアクセサリ（交換レンズ２を含み、後述するアクセサリポートカバーを除く）が未装着であり、レンズ接続部３にレンズキャップ８が装着されており、すべてのカバー類および蓋が閉じた状態（ロックされた状態がより好ましい）にあるとき、防水性および耐衝撃性を備える。
【００１０】
カメラボディ１は、交換レンズ２と通信するための電気接点を備えている。交換レンズ２はレンズ側マイコン２０（レンズ側マイクロコンピュータ）を備え、カメラボディ１はその電気接点を介して交換レンズ２のレンズ側マイコン２０と情報の授受を行う。例えば、カメラボディ１からはレンズ側マイコン２０に向けて種々のコマンドが送信され、レンズ側マイコン２０からはカメラボディ１に向けてレンズ情報などが送信される。カメラボディ１は、レンズ情報に基づいて交換レンズ２を識別し、交換レンズ２が防水レンズか否かを判断することができる。
【００１１】
図１（ａ）に図示されるように、カメラボディ１の上面には、レリーズスイッチ４とアクセサリポート５とが設けられている。レリーズスイッチ４は、ユーザが撮影開始等の指示を行うための操作部材である。ユーザがレリーズスイッチ４を操作したとき、交換レンズ２を通過した被写体像がカメラボディ１の不図示の撮像素子により撮像される。
【００１２】
アクセサリポート５には、外付けフラッシュ、ＧＰＳユニット、電子ビューファインダ、などのアクセサリ、またはアクセサリポートカバーが着脱可能に装着される。アクセサリには、防水性を備えたアクセサリと、耐衝撃性を備えたアクセサリと、防水性と耐衝撃性の両方を備えたアクセサリと、防水性と耐衝撃の両方を備えないアクセサリとが存在する。
【００１３】
図１（ａ）では、アクセサリポート５にアクセサリポートカバーが装着されている。アクセサリポートカバーは、アクセサリポート５に外付けフラッシュ、ＧＰＳユニット、電子ビューファインダ、などのアクセサリが装着されていないときに、アクセサリポート５の保護のために装着する。アクセサリポートカバーは、防水性と耐衝撃性の両方を備えたアクセサリとして扱われる。
【００１４】
図３は、アクセサリポート５に接続されるアクセサリ（アクセサリポートカバーを含む）のブロック図である。図３のアクセサリ３０は、アクセサリ側マイコン３１と、電気接点３２とを備える。アクセサリ３０は、アクセサリポート５に完全に装着されると、電気接点３２がアクセサリポート５の電気接点５ａに接続される。アクセサリ３０は、電気接点３２を介してカメラボディ１と情報の授受を行うことができる。例えば、アクセサリ３０は、電気接点３２を介してカメラボディ１がアクセサリ３０に向けて送信した種々のコマンドを受信する。アクセサリ側マイコン３１は、受信したコマンドに従って、電気接点３２を介して所定の応答信号をカメラボディ１に向けて送信する。応答信号には、アクセサリ３０が防水性を有するか否か、耐衝撃性を有するか否かについての情報が少なくとも含まれる。カメラボディ１は、応答信号に含まれるそれらの情報に基づいて、アクセサリ３０の防水性および耐衝撃性について判断する。また、カメラボディ１は、受信した応答信号に基づいて、アクセサリ３０の種類を判断することができる。
【００１５】
図１（ｂ）には、カメラボディ１の左側面にコネクタカバー６を備える。コネクタカバー６は、カメラボディ１のＵＳＢコネクタやＨＤＭＩ（登録商標）コネクタ等、外部インタフェースとの接続コネクタを水分等から保護する。コネクタカバー６は、電気接点を備えるロック機構６ａを備えている。図１（ｂ）に示すようにコネクタカバー６が閉じた状態でロック機構６ａがロック状態となると、カメラボディ１はコネクタカバー６がロック状態となったことを検出する。ロック状態のコネクタカバー６は、防水性および耐衝撃性を備える。
【００１６】
図１（ｄ）には、カメラボディ１の底面に電池蓋７を備える。電池蓋７は、カメラボディ１のバッテリを装着する電池室を水分等から保護する。電池蓋７は、電気接点を備えるロック機構７ａを備えている。電池蓋７が閉じた状態でロック機構７ａがロック状態となると、カメラボディ１は電池蓋７がロック状態となったことを検出する。ロック状態の電池蓋７は、防水性および耐衝撃性を備える。
【００１７】
カメラボディ１の防水性および耐衝撃性は、コネクタカバー６や電池蓋７などが閉じられ、ロックされた状態にないときは損なわれてしまう。例えば、電池室に水分が侵入することなどが考えられる。カメラボディ１は、コネクタカバー６および電池蓋７がロック状態であることを検出することにより、カメラボディ１の防水性および耐衝撃性が損失することなく保たれていることを検出する。
【００１８】
レンズ接続部３へ接続された交換レンズ２は、図４（ａ）および（ｂ）に図示するようにシールドケース９で保護することができる。シールドケース９は、図４（ｂ）に図示されるように、レンズ接続部３に接続することができる。シールドケース９で保護された交換レンズ２は、交換レンズ２自身が防水性等を備えていない場合であっても、外部からの水分と衝撃から保護される。
【００１９】
シールドケース９の形状は、有底の筒（円筒に限らない）である。シールドケース９の底部９ａには、強化ガラスなど、耐衝撃性能の高い光学部材が用いられる。シールドケース９の底部９ａには、水分が侵入する孔や隙間は設けられていない。図４（ｂ）のようにシールドケース９がレンズ接続部３に接続しているとき、シールドケース９は水分の侵入を防ぐようにレンズ接続部３に密接している。
【００２０】
シールドケース９の底部９ａに対抗する面９ｂには、側壁などに所定形状の突起部９ｃが少なくとも一つ突設されている。レンズ接続部３には、この突起部９ｃに対応するスイッチ１０が設けられている。スイッチ１０は、防水性を備えるスイッチであって、シールドケース９がレンズ接続部３に接続されたとき突起部９ｃから加えられる荷重により電気接点を閉じる。カメラボディ１は、この電気接点が閉じたとき、シールドケース９がレンズ接続部３に接続されたことを検出する。なお、シールドケース９の接続を検出する方法は、図４に示した方法だけに限定しない。例えば、磁石と近接センサとを用いる方法によりシールドケース９の接続を検出してもよい。
【００２１】
図５（ａ）は、カメラボディ１の概略背面図である。カメラボディ１の背面には、表示モニタ１１と耐環境性能表示部１２とが設けられ、操作部材１３なども適宜設けられている。表示モニタ１１は、カメラボディ１の操作メニュー、再生画像、ライブビューなどが表示される。耐環境性能表示部１２は、ＬＥＤなどによるインジケータ１２ａ〜１２ｃが並べて表示されている。
【００２２】
耐環境性能表示部１２は、図５（ｂ）に示されるように、複数のインジケータ１２ａ〜１２ｃを用いて、撮像装置がカメラシステム全体として防水性や耐衝撃性といった耐環境性能を備えているかを表示する。例えば、図５（ａ）に示されるようにインジケータ１２ａ〜１２ｃがすべて消灯しているときは撮像装置が防水性も耐衝撃性も備えないことを表す。このような撮像装置が防水性も耐衝撃性も備えない状態を無耐性状態と称する。
【００２３】
また、図５（ｂ）に示されるようにインジケータ１２ａのみが点灯しているときは撮像装置が防水性を備え、耐衝撃性を備えないことを表す。このような撮像装置が防水性を備え耐衝撃性を備えない状態を防水状態と称する。
また、インジケータ１２ｂのみが点灯しているときは撮像装置が耐衝撃性を備え、防水性を備えないことを表す。このような撮像装置が耐衝撃性を備え防水性を備えない状態を耐衝撃状態と称する。
また、インジケータ１２ｃが点灯しているときは撮像装置が耐衝撃性と防水性とを備えることを表す。このような撮像装置が耐衝撃性と防水性を備える状態を防水・耐衝撃状態と称する。
【００２４】
耐環境性能表示部１２は、カメラボディ１の電源がオフのときであっても、電源オフ時電流により作動しており、撮像装置の耐環境性能を表示している。また、耐環境性能表示部１２は、レリーズスイッチを操作する際に視認可能な位置に設けられており、撮像装置を使用するユーザに撮像装置の耐環境性能の有無を報知している。これにより、ユーザが撮像装置の耐環境性能を誤認することを予防することができる。
【００２５】
撮像装置の耐環境性能は、カメラボディ１の電源がオンのときは、表示モニタ１１にも表示される。図６（ａ）〜（ｃ）は、表示モニタ１１を用いた撮像装置の耐環境性能に関する情報表示画面例である。図６（ａ）では、撮像装置が防水状態にある旨の表示４１と共に、交換レンズ２、シールドケース９、アクセサリ３０、コネクタカバー６のロック機構６ａ、電池蓋７のロック機構７ａの状況がリスト４２に表示されている。
【００２６】
図６（ａ）のリスト４２に示されている状況では、交換レンズ２は防水レンズであり、アクセサリ３０は防水性と耐衝撃性を有する外付けフラッシュであり、コネクタカバー６のロック機構６ａと電池蓋７のロック機構７ａはロック状態にある。しかし、シールドケース９は装着されていない。そのため、撮像装置は、防水性を備えるが、交換レンズ２が衝撃に対応していないと判断して、表示４１に防水状態と表示している。
【００２７】
図６（ｂ）では、電池蓋７のロック機構７ａがロックされていないため、撮像装置が無耐性状態にある旨が表示モニタ１１に表示されている。図６（ｂ）では、撮像装置が無耐性状態にある旨の表示４３と共に、電池蓋７のロックをユーザに促す警告表示４４と、交換レンズ２、シールドケース９、アクセサリ３０、コネクタカバー６のロック機構６ａ、電池蓋７のロック機構７ａの状況がリスト４５に表示されている。
【００２８】
図６（ｃ）は、撮像装置の耐環境性能をライブビューと同時に表示モニタ１１に表示する方法を図示したものである。表示画面の右上に撮像装置が防水・耐衝撃状態にある旨を表すアイコン４６が表示されている。表示モニタ１１にライブビューを表示しているとき、ユーザは表示モニタ１１に注視している可能性が高い。そのため、ユーザに効率よく撮像装置の耐環境性能を報知することができる。
【００２９】
表示モニタ１１や耐環境性能表示部１２に表示される撮像装置の耐環境性能は、カメラボディ１に内蔵されるボディ側マイコンにより判断される。図７に示されるように、カメラボディ１のボディ側マイコン１４は、アクセサリポート５の電気接点５ａ、コネクタカバー６のロック機構６ａの電気接点６ｂ、電池蓋７のロック機構７ａの電気接点７ｂ、スイッチ１０、レンズ接続部３の近傍に設けられている交換レンズ２との通信用電気接点１５に接続されている。
【００３０】
ボディ側マイコン１４は、アクセサリポート５の電気接点５ａ、コネクタカバー６のロック機構６ａの電気接点６ｂ、電池蓋７のロック機構７ａの電気接点７ｂ、スイッチ１０、通信用電気接点１５から入力される電気信号やレンズ情報に基づいて、アクセサリポート５に接続されているアクセサリ、コネクタカバー６のロック機構６ａのロック状態、電池蓋７のロック機構７ａのロック状態、シールドケース９の接続状態、交換レンズ２を判断する。そして、ボディ側マイコン１４は、図８に示す表に従って撮像装置の耐環境性能を判断する。
【００３１】
図９は、図８に示す表に従って撮像装置の耐環境性能を判断するために、ボディ側マイコン１４がカメラボディ１の電源オン時に実行する起動処理に関するフローチャートである。図９の処理の開始時点において、カメラボディ１のレンズ接続部３には交換レンズ２が接続され、アクセサリポート５にはアクセサリ３０が接続されているものとする。
【００３２】
ステップＳ１００では、カメラボディ１のボディ側マイコン１４は、レンズ接続部３に接続された交換レンズ２のレンズ側マイコン２０に対して通信用電気接点１５を介してレンズ情報の要求コマンドを送信する。
ステップＳ１０１では、交換レンズ２のレンズ側マイコン２０は、そのレンズ情報の要求コマンドを受信する。
【００３３】
ステップＳ１０２では、交換レンズ２のレンズ側マイコン２０は、カメラボディ１のボディ側マイコン１４に対してレンズ情報を送信する。
ステップＳ１０３では、カメラボディ１のボディ側マイコン１４は、交換レンズ２のレンズ側マイコン２０に対してレンズ情報を受信する。
【００３４】
ステップＳ１０４では、カメラボディ１のボディ側マイコン１４は、アクセサリポート５に接続されたアクセサリ３０に対して、電気接点５ａを介して、アクセサリ３０の耐環境性能に関する情報を要求する。この要求には、所定のコマンド信号が用いられる。
ステップＳ１０５では、アクセサリ３０のアクセサリ側マイコン３１は、ステップＳ１０４においてカメラボディ１のボディ側マイコン１４から送信された要求を受信する。
ステップＳ１０６では、アクセサリ３０のアクセサリ側マイコン３１は、その要求に応じて、耐環境性能に関する情報を含む応答信号を、カメラボディ１のボディ側マイコン１４に向けて送信する。
ステップＳ１０７では、カメラボディ１のボディ側マイコン１４は、ステップＳ１０６においてアクセサリ３０のアクセサリ側マイコン３１から送信された要求を受信する。
【００３５】
ステップＳ１０８では、カメラボディ１のボディ側マイコン１４は、コネクタカバー６のロック機構６ａの電気接点６ｂ、電池蓋７のロック機構７ａの電気接点７ｂ、スイッチ１０から入力される電気信号に基づいて、コネクタカバー６のロック機構６ａおよび電池蓋７のロック機構７ａのロック状況、シールドケース９の装着状況を検出する。
ステップＳ１０８までの処理が終了すると、カメラボディ１のボディ側マイコン１４は、図８に示す表に従って撮像装置の耐環境性能を判断するために必要な情報を取得したことになる。カメラボディ１のボディ側マイコン１４は、図８に示す表に従って撮像装置の耐環境性能を判断するために、図１０の処理を開始する。
【００３６】
図１０は、図８に示す表に従って撮像装置の耐環境性能を判断して、撮像装置の耐環境性能に関する表示を行うためのフローチャートである。図１０の処理は、図９の処理により撮像装置の耐環境性能を判断するために必要な情報を取得したカメラボディ１のボディ側マイコン１４によって実行される。
【００３７】
ステップＳ２００では、ボディ側マイコン１４は、コネクタカバー６のロック機構６ａのロック状況について判定する。ボディ側マイコン１４は、コネクタカバー６のロック機構６ａがロック状態にあるときステップＳ２０１に処理を進め、コネクタカバー６のロック機構６ａが開いているとき（ロック状態にない）ときステップＳ２０８に処理を進める。
ステップＳ２０１では、ボディ側マイコン１４は、電池蓋７のロック機構７ａのロック状況について判定する。ボディ側マイコン１４は、電池蓋７のロック機構７ａがロック状態にあるときステップＳ２０２に処理を進め、電池蓋７のロック機構７ａが開いているとき（ロック状態にない）ときステップＳ２０９に処理を進める。
なお、ステップＳ２００の処理とステップＳ２０１の処理の順番は入れ替え可能である。
ステップＳ２０８およびステップＳ２０９では、ボディ側マイコン１４は、撮像装置が無耐性状態にあると判断する。
【００３８】
ステップＳ２０２では、ボディ側マイコン１４は、シールドケース９の装着状況について判定する。ボディ側マイコン１４は、シールドケース９が装着されているときステップＳ２０４に処理を進め、シールドケース９がなし、すなわち装着されていないときステップＳ２０３に処理を進める。
【００３９】
ステップＳ２０３では、ボディ側マイコン１４は、交換レンズ２が防水レンズか否かについて判定する。ボディ側マイコン１４は、交換レンズ２が防水レンズのときステップＳ２０５に処理を進め、交換レンズ２が防水性を有さない交換レンズのときステップＳ２１０に処理を進める。
ステップＳ２１０では、ボディ側マイコン１４は、撮像装置が無耐性状態にあると判断する。
【００４０】
ステップＳ２０４およびステップＳ２０５では、ボディ側マイコン１４は、アクセサリポート５に接続されたアクセサリ３０の耐環境性能について判別する。
ステップＳ２０４において、アクセサリ３０が防水性も耐衝撃性もないアクセサリであった場合、ボディ側マイコン１４は、撮像装置が無耐性状態にあると判断する（ステップＳ２１１）。
ステップＳ２０４において、アクセサリ３０がアクセサリポートカバーであった場合、ボディ側マイコン１４は、撮像装置が防水・耐衝撃状態にあると判断する（ステップＳ２１２）。この判断は、図８の（８）および（１０）に対応する。
ステップＳ２０４において、アクセサリ３０が防水性を備え、耐衝撃性を備えないアクセサリであった場合、ボディ側マイコン１４は、撮像装置が防水状態にあると判断する（ステップＳ２１３）。この判断は、図８の（４）および（５）に対応する。
ステップＳ２０４において、アクセサリ３０が耐衝撃性を備え、防水性を備えないアクセサリであった場合、ボディ側マイコン１４は、撮像装置が耐衝撃状態にあると判断する（ステップＳ２１４）。この判断は、図８の（６）および（７）に対応する。
ステップＳ２０４において、アクセサリ３０が防水性および耐衝撃性を備えるアクセサリであった場合、ボディ側マイコン１４は、撮像装置が防水・耐衝撃状態にあると判断する（ステップＳ２１５）。この判断は、図８の（９）および（１１）に対応する。
【００４１】
ステップＳ２０５において、アクセサリ３０が防水性も耐衝撃性もないアクセサリであった場合、ボディ側マイコン１４は、撮像装置が無耐性状態にあると判断する（ステップＳ２１６）。
ステップＳ２０５において、アクセサリ３０がアクセサリポートカバーであった場合、ボディ側マイコン１４は、撮像装置が防水状態にあると判断する（ステップＳ２１７）。この判断は、図８の（１）に対応する。ステップＳ２１２と判定結果が異なるのは、交換レンズ２が衝撃から保護されていないためである。
ステップＳ２０５において、アクセサリ３０が防水性を備え、耐衝撃性を備えないアクセサリであった場合、ボディ側マイコン１４は、撮像装置が防水状態にあると判断する（ステップＳ２１８）。この判断は、図８の（２）に対応する。
ステップＳ２０５において、アクセサリ３０が耐衝撃性を備え、防水性を備えないアクセサリであった場合、ボディ側マイコン１４は、撮像装置が無耐性状態にあると判断する（ステップＳ２１９）。ステップＳ２１４と判定結果が異なるのは、交換レンズ２が衝撃から保護されていないためである。
ステップＳ２０５において、アクセサリ３０が防水性および耐衝撃性を備えるアクセサリであった場合、ボディ側マイコン１４は、撮像装置が防水状態にあると判断する（ステップＳ２２０）。この判断は、図８の（３）に対応する。ステップＳ２１５と判定結果が異なるのは、交換レンズ２が衝撃から保護されていないためである。
【００４２】
ステップＳ２０６において、ボディ側マイコン１４は、ステップＳ２０８〜Ｓ２２０において判断された撮像装置の耐環境性能に基づいた表示を、表示モニタ１１および耐環境性能表示部１２を用いて実施する。その後、ボディ側マイコン１４は、図１０の処理をステップＳ２００に進め、図１０の処理を繰り返す。
【００４３】
ステップＳ２０６の処理において、図６（ｂ）に示したような警告表示は、例えば以下の警告を表示する。これらの警告内容は、撮像装置の全体の耐環境性能を改善させるための情報である。
ステップＳ２０８において無耐性状態にあると判断された場合は、コネクタカバー６のロックを促す警告を表示する。
ステップＳ２０９において無耐性状態にあると判断された場合は、電池蓋７のロックを促す警告を表示する。
ステップＳ２１０において無耐性状態にあると判断された場合は、防水性を備える交換レンズ２への交換またはシールドケース９の装着を促す警告を表示する。
ステップＳ２１１、Ｓ２１３、Ｓ２１４、Ｓ２１６、Ｓ２１８、Ｓ２１９において無耐性状態、防水状態、耐衝撃状態にあると判断された場合は、アクセサリ３０を防水性と耐衝撃性とを備えるアクセサリに交換することを促す警告を表示する。
ステップＳ２１７およびＳ２２０において防水状態にあると判断された場合は、シールドケース９を装着することを促す警告を表示する。
【００４４】
図１１は、交換レンズ２が交換されたときにボディ側マイコン１４が実行するフローチャートである。図１１の各処理において、図９と同様の処理については、同様の符号を付して、その説明を省略する。交換レンズ２の交換は、例えば、防水性を備える交換レンズ２への交換またはシールドケース９の装着を促す警告を表示モニタ１１に表示した際、ユーザにより実施される。交換レンズ２の着脱検知については、様々な方法が公知となっている。図１１では、交換後の交換レンズ２からレンズ情報を改めて取得した後、ステップＳ３００において、シールドケース９の装着状態を検出している。これは、交換レンズ２をレンズ接続部から外す際にシールドケース９が外される可能性があるためである。
【００４５】
図１２は、アクセサリ３０が交換されたときにボディ側マイコン１４が実行するフローチャートである。図１２の各処理において、図９と同様の処理については、同様の符号を付して、その説明を省略する。
【００４６】
以上で説明した実施の形態によれば、以下の作用効果が得られる。
本発明によるカメラボディ１は、防水性と耐衝撃性を少なくとも含む耐環境性能を備え、交換レンズ２を少なくとも含むアクセサリが着脱可能に装着されて、交換レンズ２と共に撮像装置を構成する。
カメラボディ１には、交換レンズ２およびアクセサリ３０が着脱可能に装着される。
カメラボディ１は、カメラボディ１の表面に設けられるコネクタカバー６と電池蓋７をそれぞれロックするロック機構６ａおよびロック機構７ａを備える。コネクタカバー６は、電気接点の集まりである各種コネクタを保護する。電池蓋７は、電池室に装着されるバッテリ用の電気接点を保護する。カメラボディ１の防水性および耐衝撃性は、コネクタカバー６と電池蓋７がロック状態にないとき、損なわれる。ボディ側マイコン１４は、ロック機構６ａおよびロック機構７ａのロック状態を検出することにより、カメラボディ１の防水性および耐衝撃性の損失を検出することができる。
ボディ側マイコン１４は、交換レンズ２およびアクセサリ３０の耐環境性能を判断して（図９のステップＳ１００〜Ｓ１０７）、電気接点６ｂおよび電気接点７ｂを用いてコネクタカバー６と電池蓋７のロック状態を判断して（図９のステップＳ１０８）、それらの結果に基づいて、撮像装置の全体の耐環境性能を判断する（図８、図１０）。
また、表示モニタ１１および耐環境性能表示部１２には、その撮像装置の全体の耐環境性能の判断結果に基づいた情報が報知される（図６）。このようにすることで、撮像装置の全体の耐環境性能をユーザに認知させ、撮像装置の故障の危険性を低減することができる。
【００４７】
また、耐環境性能表示部１２は、レリーズスイッチ４を操作する際に視認可能な位置に配置される。このような耐環境性能表示部１２を有することで、撮影を行うユーザにより確実に撮像装置の全体の耐環境性能の判断結果に基づいた情報を報知することができる。
【００４８】
また、表示モニタ１１は、ライブビューを表示可能であって、ライブビューを表示しているときはその周縁部に撮像装置の全体の耐環境性能に関する情報を表示して（図６（ｃ））、ライブビューを表示していないときは撮像装置の全体の耐環境性能に関する情報と共に、撮像装置の全体の耐環境性能が改善するようなコネクタカバー６と電池蓋７のロック状態またはアクセサリ３０に関する警告を表示する（図６（ｂ））。
【００４９】
また、少なくとも交換レンズ２以外のアクセサリ３０が接続されるアクセサリポート５には、防水性および耐衝撃性を少なくとも備えるアクセサリカバーがアクセサリとして接続可能である。そして、ボディ側マイコン１４は、アクセサリポート５にアクセサリカバーが接続されたとき、防水性および耐衝撃性を備えるものとして判断する。これにより、アクセサリカバーが接続された場合であっても撮像装置の全体の耐環境性能を適切に判断することができる。
【００５０】
また、カメラボディ１は、レンズ接続部３に接続された交換レンズ２を保護するシールドケース９がカメラボディ１のレンズ接続部３に装着されたことを検出するスイッチ１０をさらに備える。そして、ボディ側マイコン１４は、スイッチ１０によりシールドケース９の装着が検出されたときは、シールドケース９の防水性および耐衝撃性をさらに考慮して、撮像装置の全体の耐環境性能を判断する。これにより、シールドケース９が装着された場合であっても撮像装置の全体の耐環境性能を適切に判断することができる。
【００５１】
以上で説明した実施の形態は、以下のように変形して実施できる。
（変形例１）ボディ側マイコン１４が判断する撮像装置の全体の耐環境性能は、防水性、耐衝撃性だけに限定しない。例えば、防塵性、耐低温などについても判断の対象とすることができる。判断の対象が増えた場合は、その耐環境性能表示部１２のインジケータの数量やインジケータによる表示方法を変更することで対応できる。
（変形例２）上記の実施の形態では、撮像装置の全体の耐環境性能は、表示モニタ１１および耐環境性能表示部１２を用いて視覚的に報知されるものとしたが、音声などにより報知されることにしてもよい。
（変形例３）アクセサリポート５を備えないカメラボディにも本発明は適用することができる。また、外部インタフェース用のコネクタ等を備えないため、コネクタカバー６を備えないカメラボディにも本発明は適用することができる。
【００５２】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５３】
１  カメラボディ，２  交換レンズ，３  レンズ接続部，４  レリーズスイッチ
５  アクセサリポート，５ａ  電気接点
６  コネクタカバー，６ａ  ロック機構，６ｂ  電気接点
７  電池蓋，７ａ  ロック機構，７ｂ  電気接点
９  シールドケース，９ｃ  突起部，１０  スイッチ
１１  表示モニタ，１２  耐環境性能表示部，１２ａ〜１２ｃ  インジケータ
１５  通信用電気接点
２０  レンズ側マイコン
３０  アクセサリ，３１  アクセサリ側マイコン，３２  電気接点
【図１】
2014048444.tif 000003
【図２】
2014048444.tif 000004
【図３】
2014048444.tif 000005
【図４】
2014048444.tif 000006
【図５】
2014048444.tif 000007
【図６】
2014048444.tif 000008
【図７】
2014048444.tif 000009
【図８】
2014048444.tif 000010
【図９】
2014048444.tif 000011
【図１０】
2014048444.tif 000012
【図１１】
2014048444.tif 000013
【図１２】
2014048444.tif 000014